(57)【特許請求の範囲】
【請求項１】
器具本体と、施工面に固定された給電用の配線器具と器具本体との機械的および電気的な接続に用いられる接続器と、接続器の器体の一部が嵌合される嵌合孔が形成され器具本体における施工面側に固定される器具取付板と、少なくとも配線器具および接続器を介して給電される光源と、光源への給電路に挿入されたスイッチ要素と、検知エリア内の人の存否に応じた出力が得られる熱線センサと、熱線センサの検知出力に基づいて上記スイッチ要素を制御する信号処理部とを備え、接続器は、円筒状の器体を有し器体の軸方向における施工面側の所定部位に鍔状片が形成され、器具本体は、接続器の器体が回動自在に保持される円筒状の取付筒と、熱線センサの検知面を露出させる露出孔を底部に有し取付筒の外周面よりも外側部位に配置される回路収納部とが一体に形成され、検知面が露出孔を臨んだ状態で熱線センサを回路収納部内に配置し、取付筒の上端縁と器具取付板の嵌合孔の周部との間に鍔状片が挟まれてなることを特徴とする照明器具。
【請求項２】
接続器の器体の外周面に器体の軸方向に平行な器体側リブが突設され、取付筒の内周面に上記器体側リブが係合する凹凸部が形成されてなることを特徴とする請求項１記載の照明器具。
【請求項３】
上記器体側リブを８個備えるとともに上記凹凸部を２つ備え、各器体側リブは器体の周方向において等間隔で離間して突設され、各凹凸部は取付筒の軸方向に平行に突設され取付筒の周方向において隣接した複数の本体側リブからなり、各凹凸部は取付筒の周方向における両端と取付筒の中心軸とで囲まれる扇形の中心角が４５°に設定され、取付筒の中心軸を挟む位置に形成されてなることを特徴とする請求項２記載の照明器具。
【請求項４】
器具本体に取り付けられる筒状のセードと、熱線センサの検知面側に熱線センサを覆う形で配設される検知エリア調整用のレンズとを備え、レンズが上記セードの下端縁よりも上方に位置してなることを特徴とする請求項１〜３の何れか１項に記載の照明器具。
【発明の詳細な説明】
【０００１】
【発明の属する技術分野】
本発明は、照明器具に関するものである。
【０００２】
【従来の技術】
従来より、天井直付け型の照明器具、天井吊り下げ型の照明器具、施工面に既設された配線器具（例えば、引掛シーリング）を利用して取り付けられる照明器具など種々の照明器具が提供されている。また、この種の照明器具に熱線センサや明るさセンサなどのセンサを付加してセンサの検知出力に基づいて光源（照明負荷）を自動的に点灯・消灯させるようにしたものも提供されている。
【０００３】
ところで、この種の照明器具では、器具本体の形状、器具本体におけるセンサの位置などによっては見栄えやセンサの検知範囲の調整などの目的から、器具本体の向きを調節可能にすることが望まれている。例えば、焦電素子などよりなる熱線センサを用いてトイレへの人の出入りを検出し、光源（照明負荷）を自動的に点灯・消灯させるようにした照明器具では、人のわずかな動きを検知することができるように熱線センサの検知範囲を調整できるようにすることが望まれている。
【０００４】
この種の照明器具の一例として、図１２に示す構成のものがある。図１２に示す構成の照明器具は、木ねじよりなる取付ねじ８３を用いて天井面などの施工面８０に直付けされる取付ベース３０’を有する器具本体３’と、白熱電球よりなるランプ７と、取付ベース３０’の下面側に配設されランプ７の口金７ａを支持する円筒状であって外周面に螺旋状のねじ山６ａが形成されたランプソケット６’と、ランプソケット６’に螺嵌されるナット状のホルダ４を用いて取付ベース３０’に取り付けられる下面が開口した円筒状のセード６０’とを備えている。なお、セード６０’の上面にはランプソケット６’が挿通される挿通孔６４が穿孔されており、挿通孔６４に挿通されたランプソケット６’にホルダ４を螺嵌することでセード６０’が取付ベース３０’に取り付けられるようになっている。
【０００５】
また、図１２に示す構成の照明器具は、ランプ７を点灯させる点灯回路（図示せず）、点灯回路におけるランプ７への給電路に挿入されるスイッチ要素（図示せず）、検知エリア内の人の存否を検知する焦電素子などよりなる熱線センサ（図示せず）、周囲の明るさを検出する明るさセンサ（図示せず）、熱線センサおよび明るさセンサの出力に基づいてスイッチ要素を制御する信号処理部（図示せず）などの部品が実装された回路基板が収納される直方体状の回路収納部３１’を備えている。ここに、熱線センサおよび明るさセンサの検知面側には椀状のフレネルレンズよりなるレンズ９が配設されており、レンズ９は回路収納部３１’の下面から突出している。ところで、回路収納部３１’は、セード６０’に一体に形成された有底角筒状のカバー７０に納装されており、レンズ９は、カバー７０の底壁に穿孔された開口窓７１を通して露出するようになっている。
【０００６】
なお、図１２に示す構成の照明器具は、商用電源よりなる交流電源に接続されて天井裏に先行配線され施工面８０に穿孔された電源穴８０ａから引き出された電源線８１を介して給電される。
【０００７】
これに対し、天井面などの施工面に固定された配線器具を利用して電源が供給される照明器具として、図１３に示す構成のものも知られている。なお、図１２に示す構成と同様の構成要素には同一の符号を付して説明を省略する。
【０００８】
図１３に示す構成の照明器具は、天井面などの施工面に固定された配線器具たる引掛シーリング１に接続器２’を用いて取り付けられる。ここに、接続器２’は、先端部がＬ字状である一対の引掛栓刃２９を有している。なお、図１３にはボディ１１が直方体状に形成された引掛シーリング１を図示してあるが、引掛シーリング１としては図１４に示すようにボディ１１が有底円筒状に形成されたものもある。
【０００９】
引掛シーリング１のボディ１１の底壁の周部には引掛栓刃２９が挿入される一対の引掛栓刃挿入口１９が開口されている。ここにおいて、両引掛栓刃挿入口１９はボディ１１の底壁の中心を中心とする一つの円弧上に形成され、それぞれ弧状に形成されている。
【００１０】
一方、接続器２’は、上面が開口した直方体状のボディ２１’を備えており、引掛シーリング１に取り付けるには、各引掛栓刃２９をそれぞれ引掛栓刃挿入口１９の幅広部１９ａ（図１４参照）から引掛栓刃挿入口１９に挿入した後にボディ２１’を回転させ、引掛栓刃２９の先端部を引掛栓刃挿入口１９の幅狭部１９ｂ（図１４参照）の周縁に重複させることにより、引掛栓刃２９の先端部を引掛シーリング１のボディ１１内に設けられた引掛刃受部（図示せず）に保持させるようになっている。
【００１１】
また、図１３に示す構成の照明器具の器具本体３”の取付ベース３０”には、下面側に接続器２’のボディ２１の底壁から連続一体に突設された筒状部２１ｃを保持するホルダ４４が設けられるとともに、接続器２’から導出された接続線４１の先端の接続器側コネクタ４２が結合される本体側コネクタ４３が設けられており、さらに、上方が開放された略コ字状の取付台３８が取り付けられている。この取付台３８には、ランプソケット６’が取着されている。
【００１２】
【発明が解決しようとする課題】
ところで、上述のような照明器具は、照明本体３’，３”を取り付けた後に、施工面に平行な面内で器具本体３’、３”を回動させることができず（つまり、器具本体３’，３”の向きを変えることができず）、熱線センサの検知範囲を調整できないという不具合があった。また、回路収納部３１’の位置によっては見栄えが悪くなってしまうこともあった。
【００１３】
本発明は上記事由に鑑みて為されたものであり、その目的は、器具本体の向きを調節することができる照明器具を提供することにある。
【００１４】
【課題を解決するための手段】
請求項１の発明は、上記目的を達成するために、器具本体と、施工面に固定された給電用の配線器具と器具本体との機械的および電気的な接続に用いられる接続器と、接続器の器体の一部が嵌合される嵌合孔が形成され器具本体における施工面側に固定される器具取付板と、少なくとも配線器具および接続器を介して給電される光源と、光源への給電路に挿入されたスイッチ要素と、検知エリア内の人の存否に応じた出力が得られる熱線センサと、熱線センサの検知出力に基づいて上記スイッチ要素を制御する信号処理部とを備え、接続器は、円筒状の器体を有し器体の軸方向における施工面側の所定部位に鍔状片が形成され、器具本体は、接続器の器体が回動自在に保持される円筒状の取付筒と、熱線センサの検知面を露出させる露出孔を底部に有し取付筒の外周面よりも外側部位に配置される回路収納部とが一体に形成され、検知面が露出孔を臨んだ状態で熱線センサを回路収納部内に配置し、取付筒の上端縁と器具取付板の嵌合孔の周部との間に鍔状片が挟まれてなることを特徴とするものであり、器具本体に機械的に接続された接続器を施工面に固定された配線器具に取り付けた後でも接続器の器体を回転軸として利用して器具本体を施工面に平行な面内で回動させることができるので、器具本体の向きを回動させるための部材を別途に用意することなく器具本体の向きを調節することができる。また、施工面に平行な面内で器具本体を回動させることで熱線センサの検知範囲を調整することができる。
【００１５】
請求項２の発明は、請求項１の発明において、接続器の器体の外周面に器体の軸方向に平行な器体側リブが突設され、取付筒の内周面に上記器体側リブが係合する凹凸部が形成されているので、器具本体を回動させるためには器体側リブと凹凸部との係合が脱するためのトルクが必要となるから、器具本体が不用意に回動されるのを防ぐことができる。
【００１６】
請求項３の発明は、請求項２の発明において、上記器体側リブを８個備えるとともに上記凹凸部を２つ備え、各器体側リブは器体の周方向において等間隔で離間して突設され、各凹凸部は取付筒の軸方向に平行に突設され取付筒の周方向において隣接した複数の本体側リブからなり、各凹凸部は取付筒の周方向における両端と取付筒の中心軸とで囲まれる扇形の中心角が４５°に設定され、取付筒の中心軸を挟む位置に形成されているので、取付筒と器体との位置に関わらず器具本体を回動させる際に必要なトルクを略一定にすることができる。
【００１８】
請求項４の発明は、請求項１〜３の発明において、器具本体に取り付けられる筒状のセードと、熱線センサの検知面側に熱線センサを覆う形で配設される検知エリア調整用のレンズとを備え、レンズが上記セードの下端縁よりも上方に位置しているので、レンズが目立ちにくく見栄えが良くなる。
【００１９】
【発明の実施の形態】
以下、本実施形態の照明器具を図１ないし図１０を参照しながら説明する。
【００２０】
本実施形態の照明器具は、天井面などの施工面に固定された引掛シーリング１（図１（ｂ）参照）と器具本体３との機械的および電気的な接続に用いられる接続器２と、接続器２が器具取付板５を利用して取り付けられる取付ベース３０を有する器具本体３と、接続器２に結合されたランプソケット６と、ランプソケット６に口金７ａが保持される白熱電球よりなるランプ７と、取付ベース３０の下面側に着脱自在に取り付けられるセード６０とを備えている。なお、図１（ｂ）に示す引掛シーリング１は上面（図１（ｂ）における上面）が開口した有底円筒状のボディ１１を備えており、施工面にボディ１１の上端面を当接させた形で木ねじ８４を用いて固定されている。
【００２１】
図１（ｂ）に示す引掛シーリング１の構成は図１４に示した従来構成と略同じであって、ボディ１１の底壁の周部には引掛栓刃２９（図１（ａ）および図４参照）が挿入される一対の引掛栓刃挿入口１９（図１４参照）が開口されている。ここにおいて、両引掛栓刃挿入口１９はボディ１１の底壁の中心を中心とする一つの円弧上に形成され、それぞれ弧状に形成されている。
【００２２】
一方、接続器２は、図４および図５に示すように、器体２０の上面から先端部がＬ字状である一対の引掛栓刃２９が突出しており、引掛シーリング１に機械的および電気的に接続される。接続器２の器体２０は合成樹脂（例えば、ポリエチレンテレフタレート＝ＰＥＴ）製であって、図４ないし図８に示すように、上面が開口した円筒状のボディ２１と、ボディ２１の開口を塞ぐ円板状のカバー２２とを結合して構成されており、カバー２２の上面から上記一対の引掛栓刃２９および一つのロック爪２４が突出している。ここにおいて、引掛栓刃２９はカバー２２の周部においてカバー２２の中心を通る一つの直線上にカバー２２の中心を挟む位置で上方へ突出している。また、ロック爪２４は、カバー２２の上面において、一方の引掛栓刃２９の突出位置からカバー２２の周方向に沿ってずれた位置から突出しており、器体２０を引掛シーリング１に結合した状態で当該一方の引掛栓刃２９が挿入される引掛栓刃挿入口１９の幅広部１９ａに入り込むようになっている。
【００２３】
ここにおいて、ロック爪２４は、ボディ２１の底壁から連続一体に突設された円筒状の取付台２１ｂの側方に設けられたロック解除釦２５の操作に連動してカバー２２の上面から進退するようになっており、器体２０を引掛シーリング１に結合した状態では、ロック解除釦２５を押圧操作することにより、ロック爪２４が引掛栓刃挿入口１９の幅広部１９ａから退出し、押圧操作をやめるとロック爪２４が引掛栓刃挿入口１９の幅広部１９ａからボディ１１内へ進出するようになっている。また、ロック爪２４は、上方からの押圧力によってカバー２２の上面からの突出量が小さくなるように下方へ移動し、該押圧力が解除されると元の位置に戻るようになっている。
【００２４】
接続器２を引掛シーリング１に取り付けるには、先端部がＬ字状である引掛栓刃２９を引掛栓刃挿入口１９の幅広部１９ａから引掛栓刃挿入口１９に挿入するとともにロック爪２４の先端を引掛シーリング１のボディ１１に押し付けた後に器体２０を回転させ、引掛栓刃２９の先端部を引掛栓刃挿入口１９の幅狭部１９ｂの周縁に重複させることにより、引掛栓刃２９の先端部を引掛シーリング１のボディ１１内に設けられた引掛刃受部（図示せず）に保持させるようになっている。なお、ロック爪２４は、この回転の途中でボディ１１による押圧力が解除されて先端部が引掛栓刃挿入口１９の幅広部１９ａに入り込むようになっている。
【００２５】
接続器２は、上記取付台２１ｂの下端部に円筒状のランプソケット６が結合されており、器具本体３の取付ベース３０に取り付けられる。
【００２６】
器具本体３は合成樹脂（例えば、ＡＢＳ樹脂）製であって、取付ベース３０には、接続器２の器体２０が回動自在に保持される円筒状の取付筒３２が形成されており、取付筒３２の内周面と器体２０のボディ２１の外周面とが対向し接続器２のボディ２１の周壁上端部から略全周に亙って突設された鍔状片２１ａの下面が取付筒３２の上端縁に当接することにより位置決めされる。さらに、器具本体３の上面側には、器体２０のカバー２２が嵌合される嵌合孔５１が穿孔された薄板状の金属板よりなる器具取付板５が固定ねじ５３を用いて固定される。
【００２７】
器具取付板５は、固定ねじ５３が挿通される挿通孔が穿孔されたＬ字状の取付片５２が折曲形成されており、固定ねじ５３を取付片５２の上記挿通孔に挿通して取付ベース３０のボス３６のねじ孔に螺合させることで器具本体３に対して固定される。ここにおいて、接続器２は、器具取付板５の嵌合孔５１周部と上記取付筒３２の上端縁（つまり、取付ベース３０）との間に上記鍔状片２１ａが挟まれた形で取付ベース３０に取り付けられる。
【００２８】
また、本実施形態の照明器具は、ランプ７を点灯させる点灯回路（図示せず）、ランプ７への給電路に挿入されるスイッチ要素（図示せず）、検知エリア内の人の存否を検知する焦電素子よりなる熱線センサ８（図１（ｂ）参照）、周囲の明るさを検出するＣｄＳよりなる明るさセンサ（図示せず）、熱線センサ８および明るさセンサの出力に基づいて上記スイッチ要素を制御する信号処理部（図示せず）を備えている。ここに、信号処理部は、明るさセンサにより検出した明るさが規定値以下の状態で熱線センサ８による検知出力が得られると、ランプ７を点灯させ、熱線センサ８による検知出力が得られなくなってから所定時間（例えば３０秒）後にランプ７を消灯させるようになっている。この所定時間（以下、点灯保持時間と称す）は、第１の可変抵抗器ＶＲ１（図１（ｂ）参照）の抵抗値を調整することによって変更できるようになっている。一方、明るさセンサにより検出した明るさが規定値を越えると熱線センサ８による検知出力があっても上記スイッチ要素をオフに保つようになっている。この規定値は、第２の可変抵抗器（図示せず）の抵抗値を調整することによって変更できるようになっている。したがって、周囲が明るくてランプ７の点灯が不要であるときに熱線センサ８の検知結果にかかわらずランプ７を消灯させておくことが可能になり、無駄な電力消費を少なくすることができる。
【００２９】
点灯回路、スイッチ要素、信号処理部などの構成部品が実装された第１の回路基板４５と、人感センサ８、明るさセンサ、第１の可変抵抗器ＶＲ１、第２の可変抵抗器などが実装された第２の回路基板４６とは、器具本体３の回路収納部３１内に収納される。回路収納部３１は、上面が開口した有底筒状であって、取付ベース３０に連続一体に形成されている。回路収納部３１の上面は、上述の器具取付板５の一部により閉塞される。ここに、第１の回路基板４５は厚み方向が図１（ｂ）における左右方向に一致するように回路収納部３１内に配設され（つまり、回路収納部３１内に立設され）、第２の回路基板４６は厚み方向が図１（ｂ）における上下方向に一致し且つ熱線センサ８および明るさセンサそれぞれの検知面が下方を向くように回路収納部３１内に配設される。また、第２の回路基板４６の下面側には、熱線センサ８および明るさセンサの両方を覆う椀状のレンズ９が配設されている。レンズ９は、透光性を有し且つ熱線が透過しやすい高密度ポリエチレンなどの材料によって形成されたフレネルレンズであって、複数の焦点を有していて熱線センサ８の検知領域を複数の領域に分割するようになっている。したがって、トイレなどの人の動きの少なく空間においても人のわずかな動きを検知できるのである。図１（ｂ）中のＡは熱線センサ８の検知エリアを示す。
【００３０】
なお、レンズ９の一部、第１の可変抵抗器ＶＲ１のつまみ１７、第２の可変抵抗器のつまみ１８はそれぞれ回路収納部３１の底壁に穿孔された露出孔３１ａ，７７，７８を通して露出している。ここにおいて、回路収納部３１は、上下方向において下面がセード６０の下端縁よりも上方に位置するように形成されており、各つまみ１７，１８の下端およびレンズ９の下端は、いずれもセード６０の下端縁よりも上方に位置している。したがって、照明器具を図１（ｂ）の右斜め下側から見たときにレンズ９や各つまみ１７，１８が目立ちにくくなり見栄えが良くなる。なお、各つまみ１７，１８の下端およびレンズ９の下端をセード６０の下端縁よりも上方に位置させるという技術思想は、図１１に示すように器具本体３が木ねじよりなる取付ねじ８３を用いて施工面に固定される照明器具にも適用できることは勿論である。図１１において図１と同様の構成要素には同一の符号を付してあり、図１１中に一点鎖線で示す矢印Ｃはトイレに入ってきた人の目線を表したものであり、実線で示す矢印Ｄはランプ７の光を示す。
【００３１】
セード６０は、下面が開口した円筒状に形成されている。セード６０を器具本体３に取り付けるには、器具本体３の取付ベース３０の周部の下端面から突設された３つのＬ字状の係止爪３４それぞれをセード係止爪挿入口６１の幅広部６１ａから係止爪挿入口６１に挿入した後にセード６１を図２における矢印Ｂの向きに回転させ、係止爪３４の先端部を係止爪挿入口６１の幅狭部６１ｂの周縁に係止させるようになっている。
【００３２】
ところで、接続器２のボディ２１の外周面には、取付ベース３０の取付筒３２の内周面との間の距離を他の部位よりも小さくする８つの器体側リブ２３がボディ２１の周方向において等間隔で離間して形成されている。ここに、各器体側リブ２３はボディ２１の軸方向（上下方向）に沿って形成されている。要するに、図８示すように、隣り合う２つの器体側リブ２３と器体２０の中心軸とで囲まれた扇形の中心角は４５°になっている。
【００３３】
一方、取付ベース３０の取付筒３２の内周面には、接続器２のボディ２１の外周面との間の距離を他の部位よりも小さくする複数の本体側リブ３３ａよりなり隣接する本体側リブ３３ａ間に接続器２の器体側リブ２３が係合する２つの凹凸部３３が取付筒３２の中心軸を挟む位置に形成されている。各凹凸部３３それぞれを構成する複数の本体側リブ３３ａは取付筒３２の周方向において隣接して形成されている。ここに、各本体側リブ３３ａは取付筒３２の軸方向（上下方向）に沿って形成されている。また、図９に示すように、取付筒３２の周方向における凹凸部３３の両端それぞれと取付筒３２の中心軸とで囲まれた扇形の中心角は４５°になっている。
【００３４】
しかして、本実施形態では、接続器２の器体２０が取付筒３２に回動自在に保持され器具本体３と器具取付板５との間に接続器２のボディ２１の鍔状片２１ａが挟まれているので、接続器２を引掛シーリング１に取り付けた状態でも、接続器２を回動軸として器具本体３を回動させることができ、熱線センサ８および明るさセンサそれぞれの検知範囲を調整することができる。また、接続器２のボディ２１の器体側リブ２３が取付筒３２に設けられた凹凸部３３の隣り合う本体側リブ３３ａ間に凹凸係合しているので、器具本体３を回動させるためには接続器２の器体側リブ２３が凹凸部３３の本体側リブ３３ａを乗り越えるのに必要な回転トルクが必要となるから、器具本体３が不用意に回転してしまうのを防ぐことができる（例えば、セード６０を図２の矢印Ｂの向きやその逆方向に回転させる際に器具本体３が回動するのを防ぐことができる）。ここにおいて、器具本体３を回動させる際には、接続器側コネクタ４２を第１の回路基板４５に接続された本体側コネクタ４３（図２および図４参照）から外しておくことにより、接続線４１に過大な力がかかるのを防ぐことができる。なお、接続器２から導出されている接続線４１は４本であって、２本が商用電源から一対の引掛栓刃２９を介して上記点灯回路などへ給電するためのものであり、残りの２本が上記点灯回路からランプソケット６への給電用のものである。
【００３５】
【発明の効果】
請求項１の発明は、器具本体と、施工面に固定された給電用の配線器具と器具本体との機械的および電気的な接続に用いられる接続器と、接続器の器体の一部が嵌合される嵌合孔が形成され器具本体における施工面側に固定される器具取付板と、少なくとも配線器具および接続器を介して給電される光源と、光源への給電路に挿入されたスイッチ要素と、検知エリア内の人の存否に応じた出力が得られる熱線センサと、熱線センサの検知出力に基づいて上記スイッチ要素を制御する信号処理部とを備え、接続器は、円筒状の器体を有し器体の軸方向における施工面側の所定部位に鍔状片が形成され、器具本体は、接続器の器体が回動自在に保持される円筒状の取付筒と、熱線センサの検知面を露出させる露出孔を底部に有し取付筒の外周面よりも外側部位に配置される回路収納部とが一体に形成され、検知面が露出孔を臨んだ状態で熱線センサを回路収納部内に配置し、取付筒の上端縁と器具取付板の嵌合孔の周部との間に鍔状片が挟まれてなるものであり、器具本体に機械的に接続された接続器を施工面に固定された配線器具に取り付けた後でも接続器の器体を回転軸として利用して器具本体を施工面に平行な面内で回動させることができるので、器具本体の向きを回動させるための部材を別途に用意することなく器具本体の向きを調節することができるという効果がある。また、施工面に平行な面内で器具本体を回動させることで熱線センサの検知範囲を調整することができるという効果がある。
【００３６】
請求項２の発明は、請求項１の発明において、接続器の器体の外周面に器体の軸方向に平行な器体側リブが突設され、取付筒の内周面に上記器体側リブが係合する凹凸部が形成されているので、器具本体を回動させるためには器体側リブと凹凸部との係合が脱するためのトルクが必要となるから、器具本体が不用意に回動されるのを防ぐことができるという効果がある。
【００３７】
請求項３の発明は、請求項２の発明において、上記器体側リブを８個備えるとともに上記凹凸部を２つ備え、各器体側リブは器体の周方向において等間隔で離間して突設され、各凹凸部は取付筒の軸方向に平行に突設され取付筒の周方向において隣接した複数の本体側リブからなり、各凹凸部は取付筒の周方向における両端と取付筒の中心軸とで囲まれる扇形の中心角が４５°に設定され、取付筒の中心軸を挟む位置に形成されているので、取付筒と器体との位置に関わらず器具本体を回動させる際に必要なトルクを略一定にすることができるという効果がある。
【００３９】
請求項４の発明は、請求項１〜３の発明において、器具本体に取り付けられる筒状のセードと、熱線センサの検知面側に熱線センサを覆う形で配設される検知エリア調整用のレンズとを備え、レンズが上記セードの下端縁よりも上方に位置しているので、レンズが目立ちにくく見栄えが良くなるという効果がある。
【図面の簡単な説明】
【図１】実施形態を示し、（ａ）は平面図、（ｂ）は断面図である。
【図２】同上の下面図である。
【図３】同上の分解斜視図である。
【図４】同上の要部分解斜視図である。
【図５】同上の要部斜視図である。
【図６】同上の要部説明図である。
【図７】同上の要部説明図である。
【図８】同上の要部下面図である。
【図９】同上の器具本体の下面図である。
【図１０】同上の斜視図である。
【図１１】他の照明器具を示し、（ａ）は断面図、（ｂ）は下面図である。
【図１２】従来例を示す分解斜視図である。
【図１３】他の従来例を示す分解斜視図である。
【図１４】引掛シーリングの斜視図である。
【符号の説明】
２  接続器
３  器具本体
２０  器体
２１  ボディ
２１ａ  鍔状片
２２  カバー
３０  取付ベース
３２  取付筒
５１  嵌合孔
５３  固定ねじ
【図１】
0003962190.tif 000002
【図２】
0003962190.tif 000003
【図３】
0003962190.tif 000004
【図４】
0003962190.tif 000005
【図５】
0003962190.tif 000006
【図６】
0003962190.tif 000007
【図７】
0003962190.tif 000008
【図８】
0003962190.tif 000009
【図９】
0003962190.tif 000010
【図１０】
0003962190.tif 000011
【図１１】
0003962190.tif 000012
【図１２】
0003962190.tif 000013
【図１３】
0003962190.tif 000014
【図１４】
0003962190.tif 000015